(57)【要約】【課題】軟質性紐状体の内部に磁石が精度よく配置されていて、安定した磁力の効果を発揮することができ、かつ軟質性紐状体が裂けにくい磁気治療具を提供する。【解決手段】長手方向に延びた軟質性紐状体と、前記軟質性紐状体の内部に収容されている磁石とを有する磁気治療具であって、前記軟質性紐状体は、外周面に台形溝を有する長手方向に延びた第１紐状部材と、前記第１紐状部材の前記台形溝に対応する台形突起を有する第２紐状部材とを接合した接合体であり、前記第１紐状部材は、前記台形溝の底部に凹状に形成された凹状磁石支持部を有し、前記磁石の少なくとも一部が前記凹状磁石支持部に挿入されていて、前記軟質性紐状体の中心点と、第１紐状部材の台形溝の両側上端部とを結ぶ仮想線がなす角度θａが４０度以上１５０度以下の範囲にある磁気治療具。【選択図】図５
2019141241.tif 000002
【特許請求の範囲】
【請求項１】
長手方向に延びた軟質性紐状体と、前記軟質性紐状体の内部に収容されている磁石とを有する磁気治療具であって、
前記軟質性紐状体は、外周面に台形溝を有する長手方向に延びた第１紐状部材と、前記第１紐状部材の前記台形溝に対応する台形突起を有する第２紐状部材とを接合した接合体であり、
前記第１紐状部材は、前記台形溝の底部に凹状に形成された凹状磁石支持部を有し、前記磁石の少なくとも一部が前記凹状磁石支持部に挿入されていて、
前記軟質性紐状体の中心点と、第１紐状部材の台形溝の両側上端部とを結ぶ仮想線がなす角度θａが４０度以上１５０度以下の範囲にあることを特徴とする磁気治療具。
【請求項２】
前記磁石が異方性磁石である請求項１に記載の磁気治療具。
【請求項３】
さらに、前記軟質性紐状体の一端側に形成された第１クラスプ部および他端側に形成された第２クラスプ部を有し、前記第１クラスプ部および前記第２クラスプ部のうち、少なくともいずれか一方には、前記第１クラスプ部と前記第２クラスプ部とを脱着自在に係着させる係着手段が形成されている請求項１又は２に記載の磁気治療具。
【発明の詳細な説明】
【技術分野】
【０００１】
本発明は、首や腕などに掛けて使用され、磁気の作用により、血行促進などの効果が期待される磁気治療具に関する。
【背景技術】
【０００２】
磁石を有するネックレスやブレスレットを身に着けると、磁気の作用により、血行促進などの効果が得られることが知られている。例えば、柔軟で折り曲げ可能な軟質性紐状体と、その軟質性紐状体の内部に収容された磁石と、その軟質性紐状体の両端に備えられた連結具とを有する磁気治療具が知られている。
【０００３】
特許文献１には、シリコーンゴムに複数の磁石を収容した可撓性を有する長尺な磁性部（軟質性紐状体）を備えた磁気治療具が開示されている。この特許文献１には、磁気治療具の製造方法として、磁性部に対応する上型と下型とを備えた金型を用い、金型の磁性部に対応する部分にシリコーンゴムをセットし、そのセットしたシリコーンゴムに磁石を配置した後、プレス成型する方法が開示されている。
【先行技術文献】
【特許文献】
【０００４】
【特許文献１】特開２００９−１８０６０号公報
【発明の概要】
【発明が解決しようとする課題】
【０００５】
磁気治療具による磁気の作用を安定して得るためには、磁石の向きや間隔が不均一とならないように、磁石を軟質性紐状体の内部に精度よく配置することが必要となる。
しかしながら、特許文献１に開示されているプレス成型では、金型にセットした硬化前のシリコーンゴムに磁性体を配置しているため、磁石を精度よく配置することが煩雑である。また、磁石を配置した後、プレス成型するため、配置した磁石の位置ずれが生じるおそれがある。また、硬化前のシリコーンゴムと硬化前のシリコーンゴムとの間に磁石を挟んだ状態でプレス成型すると、部分的にシリコーンゴムの接合面積が狭くなり、磁気治療具の使用中に、軟質性紐状体が、シリコーンゴムの接合部分で裂けやすくなるおそれがある。
【０００６】
本発明は、このような課題に鑑みてなされたものであって、その目的は、軟質性紐状体の内部に磁石が精度よく配置されていて、安定した磁力の効果を発揮することができ、かつ軟質性紐状体が裂けにくい磁気治療具を提供することにある。
【課題を解決するための手段】
【０００７】
本発明の発明者は、軟質性紐状体を、第１紐状部材と第２紐状部材とを接合した接合体とし、第１紐状部材の接合面に台形溝を設け、第２紐状部材の接合面を台形状にすることにより、第１紐状部材と第２紐状部材との接合面積を増やして密着力を高め、さらに第１紐状部材の台形溝の底部に凹状に形成された凹状磁石支持部を設けて、磁石の少なくとも一部を凹状磁石支持部に挿入して、磁石を支持することによって、磁石を精度よく配置することが可能となることを見出した。
従って、本発明は、上記課題を解決するため、以下の手段を提供する。
【０００８】
（１）本発明の一態様にかかる磁気治療具は、長手方向に延びた軟質性紐状体と、前記軟質性紐状体の内部に収容されている磁石とを有する磁気治療具であって、前記軟質性紐状体は、外周面に台形溝を有する長手方向に延びた第１紐状部材と、前記第１紐状部材の前記台形溝に対応する台形突起を有する第２紐状部材とを接合した接合体であり、前記第１紐状部材は、前記台形溝の底部に凹状に形成された凹状磁石支持部を有し、前記磁石の少なくとも一部が前記凹状磁石支持部に挿入されていて、前記軟質性紐状体の中心点と、第１紐状部材の台形溝の両側上端部とを結ぶ仮想線がなす角度θａが４０度以上１５０度以下の範囲にあることを特徴としている。
【０００９】
（２）上記（１）に記載の磁気治療具において、前記磁石は異方性磁石であってもよい。
（３）上記（１）又は（２）に記載の磁気治療具において、さらに、前記軟質性紐状体の一端側に形成された第１クラスプ部および他端側に形成された第２クラスプ部を有し、前記第１クラスプ部および前記第２クラスプ部のうち、少なくともいずれか一方には、前記第１クラスプ部と前記第２クラスプ部とを脱着自在に係着させる係着手段が形成されていてもよい。
【発明の効果】
【００１０】
本発明によれば、軟質性紐状体の内部に磁石が精度よく配置されていて、安定した磁力の効果を発揮することができ、かつ軟質性紐状体が裂けにくい磁気治療具を提供することが可能となる。
【図面の簡単な説明】
【００１１】
【図１】本発明の実施形態にかかる磁気治療具の平面図である。
【図２】図１の磁気治療具の第１クラスプ部と第２クラスプ部を外した状態を示す正面図である。
【図３】図２のＡ部分の長手方向に沿った断面図である。
【図４】図３のIV−IV線横断面図である。
【図５】本発明の実施形態にかかる磁気治療具に用いられている第１紐状部材の横断面図である。
【図６】本発明の実施形態にかかる磁気治療具に用いられる異方性磁石周辺の磁束線を説明する概念図である。
【図７】本発明の実施形態にかかる磁気治療具の製造方法を説明するフロー図である。
【図８】本発明の実施形態にかかる磁気治療具の製造方法における用意工程で用意される異方性磁石材と第１紐状部材とを説明する図であって、（ａ）は長手方向に沿った断面図であり、（ｂ）は（ａ）のｂ−ｂ線横断面図である。
【図９】本発明の実施形態にかかる磁気治療具の製造方法における挿入工程で得られた異方性磁石材を挿入した第１紐状部材を説明する図であって、（ａ）は長手方向に沿った断面図であり、（ｂ）は（ａ）のｂ−ｂ線横断面図である。
【図１０】本発明の実施形態にかかる磁気治療具の製造方法における接合工程で得られる成形体を説明する図であって、（ａ）は長手方向に沿った断面図であり、（ｂ）は（ａ）のｂ−ｂ線横断面図である。
【発明を実施するための形態】
【００１２】
以下、本発明について、図面を適宜参照しながら詳細に説明する。以下の説明で用いる図面は、本発明の特徴をわかりやすくするために便宜上特徴となる部分を拡大して示している場合があり、各構成要素の寸法比率などは実際とは異なっていることがある。
【００１３】
図１は、本発明の実施形態にかかる磁気治療具の平面図である。図２は、図１の磁気治療具の第１クラスプ部３０ａと第２クラスプ部３０ｂを外した状態を示す正面図である。図３は、図２のＡ部分の長手方向に沿った断面図であり、図４は、図３のIV−IV線横断面図である。図５は、第１紐状部材の横断面図である。
【００１４】
図１〜５に示すように、本実施形態の磁気治療具１は、軟質性紐状体１０と、軟質性紐状体１０の内部に収容されている異方性磁石２０ａ、２０ｂとを有する。本実施形態では、２つの異方性磁石２０ａ、２０ｂは、互いに反発する位置関係、すなわち、それぞれ同じ磁極が同じ側を向き、かつ互いに隣接する位置関係で配置されていて、一つの強磁力発生部２１を構成している。
【００１５】
磁気治療具１は、軟質性紐状体１０の一端側に形成された第１クラスプ部３０ａおよび他端側に形成された第２クラスプ部３０ｂを有する。第１クラスプ部３０ａと第２クラスプ部３０ｂを係着させることによって、磁気治療具１は、図１に示すようにリングを形成する。リングを形成している磁気治療具１は、例えば、磁気ネックレス、磁気ブレスレットとして使用される。
【００１６】
（軟質性紐状体）
軟質性紐状体１０は、−６０℃以上６０℃以下の温度範囲で、折り曲げ可能な弾性体であることが好ましい。
【００１７】
軟質性紐状体１０の断面形状は本実施形態では円形であるが、折り曲げ可能であれば、その断面形状に、特に制限はなく、例えば、楕円形、多角形としてもよい。軟質性紐状体１０の径（図３〜５においてφ）は、特に限定されないが、例えば、０．３ｃｍ以上２ｃｍ以下の範囲である。また、軟質性紐状体１０の長さ方向の長さは、特に限定されないが、例えば、ネックレスとして使用されるものは、３０ｃｍ以上７０ｃｍ以下の範囲であり、ブレスレットとして使用されるものは、１０ｃｍ以上３０ｃｍ以下の範囲である。
【００１８】
軟質性紐状体１０は、外周面に台形溝１２を有する長手方向に延びた第１紐状部材１１と、第１紐状部材１１の台形溝１２に対応する台形突起を有する第２紐状部材１５とを接合した接合体である。台形溝１２は、底面部が開口部よりも狭い等脚台形とされている。第１紐状部材１１と第２紐状部材１５とが台形溝１２の斜面を介して接合しており、接合面積が大きいので、第１紐状部材１１と第２紐状部材１５の接合力が高い。このため、使用中に軟質性紐状体１０が裂けることが起こりにくくなる。
【００１９】
第１紐状部材１１および第２紐状部材１５は、軟質樹脂から形成されていることが好ましい。軟質樹脂としては、ゴムおよびエラストマーを用いることができる。ゴムの例としては、シリコーンゴム、ウレタンゴム、ブタジエンゴム、イソプレンゴム、アクリルゴム、クロロプレンゴム、フッ素ゴムが挙げられる。エラストマーの例としては、スチレン系エラストマー、オレフィン系エラストマー、塩化ビニル系エラストマー、ウレタン系エラストマー、アミド系エラストマーが挙げられる。第１紐状部材１１および第２紐状部材１５は、それぞれ異なる軟質樹脂から形成されていてもよいが、接合強度の観点から同一種の軟質樹脂から形成されていることが好ましい。本実施形態では、第１紐状部材１１と第２紐状部材１５ともにシリコーンゴムを用いている。シリコーンゴムを用いることによって、軟質性紐状体１０は、軽量で柔軟性が高くなるとともに、生体親和性に優れたものとなる。
【００２０】
第１紐状部材１１は、台形溝１２の底部に凹状に形成された凹状磁石支持部１３を有し、異方性磁石２０ａ、２０ｂの少なくとも一部が凹状磁石支持部１３に挿入されている。本実施形態では、異方性磁石２０ａ、２０ｂの５０体積％以上の部分が、凹状磁石支持部１３に挿入されている。異方性磁石２０ａ、２０ｂの５０体積％以上の部分が、凹状磁石支持部１３に挿入されて、支持されることによって、異方性磁石２０ａ、２０ｂの配置位置が凹状磁石支持部１３で決まるため、異方性磁石２０ａ、２０ｂの配置位置をより精度よく保持することができる。
【００２１】
凹状磁石支持部１３の開口部のサイズは、異方性磁石２０ａ、２０ｂの底面（凹状磁石支持部１３に挿入される側の下面）のサイズと同じもしくはわずかに狭い方が好ましい。この場合、凹状磁石支持部１３と異方性磁石２０ａ、２０ｂとの密着性が向上し、異方性磁石２０ａ、２０ｂの配置位置がずれにくくなり、異方性磁石２０ａ、２０ｂの配置位置を精度よく保持できる。ただし、凹状磁石支持部１３の開口サイズが狭くなり過ぎると、凹状磁石支持部１３に異方性磁石２０ａ、２０ｂを挿入しにくくなるおそれがある。このため、凹状磁石支持部１３の開口サイズは、異方性磁石２０ａ、２０ｂの底面のサイズに対して９５％以上であることが好ましい。
【００２２】
第１紐状部材１１は、図５に示すように、台形溝１２の底部の幅方向（Ｙ方向）の長さＡは、軟質性紐状体１０の径φに対して１／２以上４／５以下の範囲にあることが好ましい。また台形溝１２の底部の高さ方向（Ｚ方向）の長さＢは、軟質性紐状体１０の径φに対して１／２以上４／５以下の範囲にあることが好ましい。
また、軟質性紐状体１０を形成したときの中心点Ｏと、第１紐状部材の台形溝の両側上端部Ｃ、Ｄとを結ぶ仮想線がなす角度θａは４０度以上１５０度以下の範囲にあることが好ましい。台形溝１２の斜面の角度θｂは、９５度以上であることが好ましい。
【００２３】
上記の長さＡ、長さＢ、角度θａ、角度θｂが上記の範囲にあると、第１紐状部材１１と第２紐状部材１５との接合面積を大きくでき、第１紐状部材１１と第２紐状部材１５との接合力を高くすることができる。第１紐状部材１１と第２紐状部材１５との接合面積を大きくするために、角度θａは８０度以上１５０度以下の範囲にあることがより好ましい。また、角度θｂは９５度以上１５０度以下の範囲にあることがより好ましい。
【００２４】
第２紐状部材１５は、第１紐状部材１１と接合する面に凹状に形成された凹状磁石収容部１６を有し、異方性磁石２０ａ、２０ｂの少なくとも一部が凹状磁石収容部１６に収容されている。異方性磁石２０ａ、２０ｂが凹状磁石収容部１６に収容されることによって、第２紐状部材１５と異方性磁石２０ａ、２０ｂとの密着力が向上する。このため、異方性磁石２０ａ、２０ｂの配置位置がさらにずれにくくなり、異方性磁石２０ａ、２０ｂの配置位置をさらに精度よく保持できる。また、第１紐状部材１１と第２紐状部材１５との接合力が強くなる。
【００２５】
（異方性磁石）
異方性磁石２０ａ、２０ｂは、図３、４に示すように、磁化方向が目視で判別できるように長方体にすることが望ましい。本実施形態では、幅方向（Ｙ方向）の長さＷ、高さ方向（Ｚ方向）の長さＨ、長手方向（Ｘ方向）の長さＬが、１：２：４とされている。
【００２６】
異方性磁石２０ａ、２０ｂの角および辺は、面取りまたはＲ加工されていることが好ましい。これによって、例えば、軟質性紐状体１０が過剰に折り曲げられたとき、あるいは軟質性紐状体１０に過度に圧力が負荷されたときでも異方性磁石２０ａ、２０ｂに微細な割れや欠けが生じにくくなる。
【００２７】
異方性磁石２０ａ、２０ｂの材料としては、希土類磁石・異方性フェライト磁石・異方性ラバー磁石など磁気治療具用の磁石として通常、使用されているものを利用することができる。本実施形態では、異方性磁石２０ａ、２０ｂとして希土類磁石を用いている。
【００２８】
本実施形態においては、２つの異方性磁石２０ａ、２０ｂで一つの強磁力発生部２１を構成している。強磁力発生部２１は、単独の異方性磁石と比較して、遠く離れた位置に磁気を届けることが可能な強い磁力を発生させる。この理由を、図６を参照しながら説明する。
【００２９】
図６（ａ）は、異方性磁石２０を単独で配置したときの異方性磁石２０の周りに分布する磁束線の状態を表す概念図である。図６（ａ）において破線で表されるように、異方性磁石２０を単独で配置した場合、近くに他の磁石が配置されていないため、異方性磁石２０の周辺は、異方性磁石２０のＮ極から磁束が出て、同じ異方性磁石２０のＳ極に戻り、異方性磁石２０から近い領域に磁束が集中する磁気回路が形成される。そのため、異方性磁石２０の磁束は、異方性磁石２０から遠くへ及ばない。
【００３０】
図６（ｂ）は、異なる磁極が同じ側を向く２つの異方性磁石２０ａ、２０ｂを、互いに隣接するように配置したときの異方性磁石２０ａ、２０ｂの周りに分布する磁束線の状態を表す概念図である。図６（ｂ）において破線で表されるように、異なる磁極が同じ側を向く２つの異方性磁石２０ａ、２０ｂを、互いに隣接するように配置した場合、一方の異方性磁石のＮ極と他方の異方性磁石のＳ極とが接近して配置されているため、異方性磁石２０ａ、２０ｂのＮ極から出た磁束は、近接する他の異方性磁石のＳ極か、又は同じ異方性磁石のＳ極へ戻る。従って、異方性磁石２０ａ、２０ｂから近い領域に磁束が集中する磁気回路が形成される。そのため、異方性磁石２０ａ、２０ｂの磁束は、異方性磁石２０ａ、２０ｂから遠くへ及ばない。
【００３１】
図６（ｃ）は、同じ磁極が同じ側を向く２つの異方性磁石２０ａ、２０ｂを、互いに隣接するように配置したときの異方性磁石２０ａ、２０ｂの周りに分布する磁束線の状態を表す概念図である。図６（ｃ）において破線で表されるように、同じ磁極が同じ側を向く２つの異方性磁石２０ａ、２０ｂを、互いに隣接するように配置した場合、一方の異方性磁石のＮ極（又はＳ極）と他方の異方性磁石のＮ極（又はＳ極）とが接近して配置されているため、異方性磁石２０ａ、２０ｂのＮ極から出た磁束は、近接する他の異方性磁石のＮ極の影響により、異方性磁石に近接する領域を通過してＳ極へ戻ることが阻害される。従って、異方性磁石２０ａ、２０ｂから遠い領域に磁束が集中する磁気回路が形成される。そのため、異方性磁石２０ａ、２０ｂ（強磁力発生部２１）から遠く離れた位置に磁気を届けることができる。
【００３２】
本実施形態では、一つの強磁力発生部２１を構成する２つの異方性磁石２０ａ、２０ｂを揃えて（平行）に並べる必要がある。着磁の際、磁界を印加する方向は一定のため、磁石材の向きが揃っていないと規定の磁界を得られない場合がある。従って、着磁をさせる前の磁石材を軟質性紐状体の内部に精度よく配置することが必要となる。
【００３３】
（第１クラスプ部、第２クラスプ部）
第１クラスプ部３０ａおよび第２クラスプ部３０ｂは、その少なくとも一方に、第１クラスプ部３０ａと第２クラスプ部３０ｂとを脱着自在に係着させる係着手段が形成されている。係着手段としては、例えば、永久磁石を用いることができる。
【００３４】
（製造方法）
次に、本実施形態の磁気治療具１の製造方法について、図７〜９を参照して説明する。
本実施形態の磁気治療具１の製造方法は、図７に示すように、用意工程Ｓ０１と、挿入工程Ｓ０２と、接合工程Ｓ０３と、着磁工程Ｓ０４とを有する。
【００３５】
（用意工程）
用意工程Ｓ０１では、図８に示すように、異方性磁石材２２ａ、２２ｂと、第１紐状部材１１とを用意する。
異方性磁石材２２ａ、２２ｂは、着磁によって、異方性磁石２０ａ、２０ｂを生成する部材である。異方性磁石材２２ａ、２２ｂは長方体であり、角および辺は面取りまたはＲ加工されている。これによって、次の挿入工程Ｓ０２において、第１紐状部材１１の凹状磁石支持部１３に挿入する際の作業を円滑に行うことが可能となる。異方性磁石材２２ａ、２２ｂは、例えば、磁界を印加しながら、磁石材料の粉体を固めることにより作製することができる。これにより磁化容易軸が揃った異方性磁石材２２ａ、２２ｂを得ることができる。
【００３６】
第１紐状部材１１は、底部に凹状に形成された凹状磁石支持部１３を備えた台形溝１２を有する紐状部材である。凹状磁石支持部１３は、異方性磁石材２２ａ、２２ｂを収容して支持する。第１紐状部材１１の作製方法は原料の軟質樹脂の種類によっても異なるが、例えば、軟質樹脂としてシリコーンゴムを用いる場合は、金型成形によって作製することができる。
【００３７】
（挿入工程）
挿入工程Ｓ０２では、図９に示すように、上記用意工程Ｓ０１で用意した第１紐状部材１１の凹状磁石支持部１３に、異方性磁石材２２ａ、２２ｂを挿入する。この場合、成型済みの第１紐状部材１１の凹状磁石支持部１３に異方性磁石材２２ａ、２２ｂを挿入するだけなので、従来のように、硬化前のシリコーンゴムに磁石材を配置する場合に比して、磁石材を精度よく配置することができる。
【００３８】
（接合工程）
接合工程Ｓ０３では、上記挿入工程Ｓ０２で異方性磁石材２２ａ、２２ｂを挿入した第１紐状部材１１の異方性磁石材２２ａ、２２ｂが挿入されている側の表面に、第２紐状部材を接合させる。例えば、軟質樹脂としてシリコーンゴムを用いる場合は、図１０に示すように、異方性磁石材２２ａ、２２ｂを挿入した第１紐状部材１１を、第１金型４１（下型）と第２金型４２とからなる筒状の金型４０に配置し、第１紐状部材１１と金型４０との間の空間に、未硬化のシリコーンゴムを充填し、次いで、未硬化のシリコーンゴムを加熱して、硬化させることによって、第２紐状部材１５を生成させるとともに第１紐状部材１１と第２紐状部材１５とを接合させることができる。こうして、長手方向に延びた軟質性紐状体１０と、軟質性紐状体１０の内部に収容されている異方性磁石材２２ａ、２２ｂとを有する成形体を得る。
【００３９】
（着磁工程）
着磁工程Ｓ０４では、上記接合工程Ｓ０３で得られた成形体の異方性磁石材２２ａ、２２ｂを着磁させる。異方性磁石材２２ａ、２２ｂを着磁させる方法としては、一般に磁石材を着磁させるために使用されている着磁器を用いることができる。このとき、着磁の磁界方向と異方性磁石材２２ａ、２２ｂの向きを揃えて着磁を行う。特に異方性磁石材の場合には、磁化容易軸が揃っているので異方性磁石材の向きが揃っていないと、一定方向の磁界を印加して着磁を行った時に、それぞれの磁石において十分な磁力が発現しないおそれがある。本実施形態の場合には、異方性磁石材２２ａ、２２ｂの向きや間隔が不均一とならないように、異方性磁石材２２ａ、２２ｂを精度よく配置することができるので、着磁工程Ｓ０４により十分な磁力を得ることができる。
【００４０】
以上のように構成された本実施形態の磁気治療具１においては、第１紐状部材１１の凹状磁石支持部１３に、異方性磁石２０ａ、２０ｂの少なくとも一部を挿入して、異方性磁石２０ａ、２０ｂを支持するので、異方性磁石２０ａ、２０ｂを精度よく配置することができる。また、軟質性紐状体１０が、台形溝１２を有する第１紐状部材１１と台形突起を有する第２紐状部材１５とを接合した接合体であり、第１紐状部材１１と第２紐状部材１５とが台形溝１２の斜面を介して接合するので、第１紐状部材１１と第２紐状部材１５の接合面積が大きくなり、使用中に軟質性紐状体１０が裂けにくくなる。
【００４１】
本実施形態の磁気治療具１の製造方法においては、挿入工程Ｓ０２で第１紐状部材１１の凹状磁石支持部１３に、異方性磁石材２２ａ、２２ｂを挿入した後、接合工程Ｓ０３で、第１紐状部材１１と第２紐状部材１５とを接合させるので、異方性磁石材２２ａ、２２ｂを精度よく配置することができる。また、接合工程Ｓ０３において、台形溝１２を有する第１紐状部材１１と台形突起を有する第２紐状部材１５とが台形溝１２の斜面を介して接合するので、第１紐状部材１１と第２紐状部材１５との接合面積が大きくなる。そして、着磁工程Ｓ０４で異方性磁石材２２ａ、２２ｂを、軟質性紐状体１０の内部に精度よく配置した状態で着磁させるので、異方性磁石２０ａ、２０ｂの磁力が安定する。従って、本実施形態の製造方法によれば、異方性磁石２０ａ、２０ｂを精度よく配置することができ、かつ使用中に軟質性紐状体１０が裂けにくい磁気治療具１を製造することができる。
【００４２】
以上、本発明の実施形態について図面を参照して説明したが、本実施形態における各構成及びそれらの組み合わせ等は一例であり、本発明の趣旨から逸脱しない範囲内で、構成の付加、省略、置換、及びその他の変更が可能である。
【００４３】
例えば、上記の本実施形態では、２つの異方性磁石２０ａ、２０ｂを、同じ磁極が同じ側を向くように、互いに隣接するように配置して、２つの異方性磁石２０ａ、２０ｂで一つの強磁力発生部２１を構成したが、この場合に限定されるものではない。具体的には、複数個の異方性磁石を互いに離れた位置に配置して、各異方性磁石にて発生する磁気を人体に作用させるようにしてもよい。
また、本実施形態では、磁石として長方体の異方性磁石２０ａ、２０ｂを用いているが、これに限定されるものではない。具体的には、磁石として等方性磁石を用いてもよい。また磁石の形状は、楕円柱状、多角柱状などの柱状とすることができる。
【実施例】
【００４４】
［実施例１］
第１紐状部材として、図５に示した径φが３．４ｍｍ、長さＡが１．６ｍｍ、長さＢが１．９ｍｍ、角度θａが１００度で、角度θｂが１２０度の台形溝を有し、台形溝の底部に凹状磁石支持部を有するシリコーンゴム製第１紐状部材を金型成形によって作製した。シリコーンゴム製第１紐状部材の長さは４０ｃｍとし、凹状磁石支持部を５ｃｍ間隔で形成した。
また、希土類磁石材料の粉体を、磁界を印加しながら、長方体形状に固めて、異方性希土類磁石材（Ｌ：４ｍｍ、Ｈ：２ｍｍ、Ｗ：１ｍｍ）を作製した。
【００４５】
上記のシリコーンゴム製第１紐状部材の凹状磁石支持部に、上記の異方性希土類磁石材を挿入した。この異方性希土類磁石材を挿入したシリコーンゴム製第１紐状部材を円筒状の金型に配置し、第１紐状部材と金型との間の空間に、未硬化のシリコーンゴムを充填し、次いで、未硬化のシリコーンゴムを加熱して、硬化させることによって、第２紐状部材を生成させるとともに第１紐状部材と第２紐状部材とを接合させた。
得られた成形体の異方性希土類磁石材を着磁させて、磁気治療具を得た。
【００４６】
［実施例２〜９］
第１紐状部材の径φ、長さＡ、長さＢ、角度θａ、角度θｂを、下記の表１に記載の値としたこと以外は、実施例１と同様にして磁気治療具を製造した。
【００４７】
［評価］
実施例１〜９で製造した磁気治療具の第１紐状部材と第２紐状部材との密着性を評価した。そして、密着性が良好であった場合を「○」と判定した。その結果を表１に示す。
【００４８】
【表１】
2019141241.tif 000003
【００４９】
表１より実施例１〜９のいずれの場合も得られた磁気治療具は、第１紐状部材と第２紐状部材との密着性が良好であることが確認できた。
【符号の説明】
【００５０】
１…磁気治療具、１０…軟質性紐状体、１１…第１紐状部材、１２…台形溝、１３…凹状磁石支持部、１５…第２紐状部材、１６…凹状磁石収容部、２０、２０ａ、２０ｂ…異方性磁石、２１…強磁力発生部、２２ａ、２２ｂ…異方性磁石材、３０ａ…第１クラスプ部、３０ｂ…第２クラスプ部、４０…金型、４１…第１金型、４２…第２金型
【図１】
2019141241.tif 000004
【図２】
2019141241.tif 000005
【図３】
2019141241.tif 000006
【図４】
2019141241.tif 000007
【図５】
2019141241.tif 000008
【図６】
2019141241.tif 000009
【図７】
2019141241.tif 000010
【図８】
2019141241.tif 000011
【図９】
2019141241.tif 000012
【図１０】
2019141241.tif 000013